(57)【要約】      （修正有）【課題】信号間の遅延精度の影響を受けず、高精度の記録レーザ電流（波形）で高精度に情報を記録する。【解決手段】レーザ波形生成機能を、変調回路６ではなく、レーザ３に近いレーザ駆動波形生成回路２に持たせる構成としている。また、記録クロック生成回路９をレーザ駆動波形生成回路２に持たせ、同期クロック２０２より高周波数のクロックを生成する構成としている。さらに、ＩＤ部の再生動作を含む再生動作時には同期クロック２０２の供給を停止する構成とする。さらに、記録クロック生成回路９の応答速度を切り替えることができる構成とする。【選択図】  図２
2008041246.tif 000002
【特許請求の範囲】
【請求項１】
記録媒体に記録する記録データと同期クロックとを生成する変調手段と、該同期クロックに基づいて記録クロックを生成する記録クロック生成手段を有し、該記録クロック及び前記記録データに基づいてレーザの発光量を変化させる記録波形生成手段と、前記変調手段及び前記記録波形生成手段を制御する記録制御手段とを備え、
前記記録クロック生成手段は、クロック生成／停止機能と応答速度切替機能とを有し、前記記録制御手段は、クロック生成／停止制御信号と応答速度切替信号を生成する手段を有し、前記クロック生成／停止制御信号又は前記応答速度切替信号により前記記録クロック生成手段を制御することを特徴とする情報記録再生装置。
【請求項２】
請求の範囲第１項記載の情報記録再生装置において、
前記記録制御手段は、前記変調手段、前記記録波形生成手段を制御する他、前記変調手段も制御する手段であり、
再生時には前記クロック生成／停止制御信号によって前記記録クロック及び前記同期クロックの生成を停止し、
記録時には記録クロック及び前記同期クロックを生成し、かつ記録開始時には前記応答速度を高速側に設定し、所定期間経過後に前記応答速度を低速に設定することを特徴とする情報記録再生装置。
【請求項３】
請求の範囲第２項記載の情報記録再生装置において、
前記記録媒体は所定数の連続した情報を記録する領域をセクタとし各セクタの先頭には該セクタの記録媒体上の場所を示すアドレス信号があらかじめ記録されている記録媒体であり、前記応答速度の切替えは前記セクタの記録終了後次のセクタの記録開始までのアドレス信号期間内に行われることを特徴とする情報記録再生装置。
【請求項４】
請求の範囲第１項記載の情報記録再生装置において、
前記応答速度切替機能は、前記記録クロックの周波数と前記同期クロックとの比率を変化させることにより行い、前記記録クロック生成手段の回路定数及び前記同期クロックの周波数を切り替えることを特徴とする情報記録再生装置。
【請求項５】
記録媒体に記録する記録データを生成する記録データ生成手段、同期クロックを生成する同期クロック生成手段及び前記記録媒体に記録されているアドレス信号を検出するアドレス信号検出手段を有する信号処理手段と、
該同期クロックに基づいて記録クロックを生成する記録クロック生成手段及び制御インターフェイス受信手段を有し、前記同期クロック及び前記記録データに基づいてレーザの発光量を変化させる記録波形生成手段と、
該記録波形生成手段を制御する制御インターフェイス送信手段と、
外部装置からの指示により装置内の制御動作を行うシステム制御手段とを備え、
前記記録クロック生成手段は、クロック生成／停止機能と応答速度切替機能とを有し、前記システム制御手段はクロック生成／停止指示および応答速度切替指示を、前記制御インターフェイス送信手段により前記制御インターフェイス受信手段に送出して前記記録クロック生成手段を制御することを特徴とする情報記録再生装置。
【請求項６】
請求の範囲第５項記載の情報記録再生装置において、
前記制御インターフェース送信手段及び前記制御インターフェイス受信手段間の制御インターフェイスは、１本の信号線上に指示情報を１ビットづつ逐次送出し受信するシリアルインターフェイスであることを特徴とする情報記録再生装置。
【請求項７】
請求の範囲第５項記載の情報記録再生装置において、
前記システム制御手段は、前記外部装置から再生指示を受けた場合には、該再生指示により指示されたセクタに到達する前に、前記制御インターフェイス受信手段を介して記録クロック停止状態に記録波形生成手段を制御し、前記外部装置から記録指示を受けた場合には、該記録指示により指示されたセクタに到達する前に、制御インターフェイス受信手段を介して記録クロック生成状態かつ高速応答状態に記録波形制御手段を制御し、記録が開始され所定セクタ記録後に低速応答状態に記録波形生成手段を制御することを特徴とする情報記録再生装置。
【請求項８】
記録媒体に記録する記録データを生成する記録データ生成手段、同期クロックを生成する同期クロック生成手段、記録制御手段及びアドレス信号検出手段を有する信号処理手段と、
前記同期クロックに基づいて記録クロックを生成するクロック生成手段及び制御インターフェイス受信手段を有し、前記同期クロック及び前記記録データに基づいてレーザの発光量を変化させる記録波形生成手段と、
該記録波形生成手段を制御する制御インターフェイス送信手段と、
該制御インターフェイス送信手段の自動実行手段と、
外部装置からの指示により装置内の制御動作を行うシステム制御手段とを備え、
前記記録クロック生成手段は、クロック生成／停止機能と応答速度切替機能とを有し、前記システム制御手段は前記記録制御手段を介して前記自動実行手段を制御し、前記自動実行手段は記録制御手段からの指示に基づいて、あらかじめ決められているクロック生成／停止指示および応答速度切替指示を、該制御インターフェイス送信手段により前記制御インターフェイス受信手段に送出して前記記録クロック生成手段を制御することを特徴とする情報記録再生装置。
【請求項９】
請求の範囲第８項記載の情報記録再生装置において、
前記システム制御手段は、あらかじめ前記自動実行手段に記録波形生成手段に送出する状態の設定を複数種類記憶していることを特徴とする情報記録再生装置。
【請求項１０】
請求の範囲第８項記載の情報記録再生装置において、
前記外部装置から再生指示が来た場合には、前記システム制御手段は前記記録制御手段に再生指示を出し、前記記録制御手段は再生指示受け取り時が記録動作実行中であれば記録最終セクタ終了後に、記録動作中で無ければ再生指示受け取り時のセクタ終了後に、前記自動実行手段に再生状態設定送出指示を出し、前記自動実行手段を制御することを特徴とする情報記録再生装置。
【請求項１１】
請求の範囲第８項記載の情報記録再生装置において、
前記外部装置から記録指示が来た場合には、前記システム制御手段は前記記録制御手段に記録指示を出し、前記記録制御手段は記録指示受け取り時が再生動作実行中であれば再生最終セクタ終了後に、記録動作中であれば記録最終セクタ終了後に、再生動作・記録動作のどちらでもなければ直ちに、前記自動実行手段に記録状態開始設定送出指示を出し、前記自動実行手段は、記録開始後所定のセクタ記録終了後に、前記記録制御手段に対して応答速度切替設定を行うことを特徴とする情報記録再生装置。
【請求項１２】
請求の範囲第１１項記載の情報記録再生装置において、
前記記録制御手段は、記録指示受け取り時が記録動作中である場合には、前記自動実行手段に記録状態開始設定送出指示および応答速度切替設定送出指示を出さないことを特徴とする情報記録再生装置。
【請求項１３】
移動可能な光ピックアップに備えられたレーザの発光量を変化させながら記録媒体に情報を記録する情報記録再生装置において、
前記記録媒体に記録する記録データと同期クロックとを生成する変調回路と、
該同期クロックに基づいて記録クロックを生成する記録クロック生成回路を有し、該記録クロック及び前記記録データに基づいてレーザの発光量を変化させる記録波形生成回路と、
前記変調回路及び前記記録波形生成回路を制御する制御回路とを備え、
前記記録波形生成回路は前記光ピックアップの回路基板上に形成され、
前記変調回路及び前記制御回路は前記光ピックアップ以外の回路基板上に形成され、
前記記録クロック生成回路は、前記記録制御回路の制御に基づいて、前記記録クロックを生成あるいは停止し、回路特性を切り替えることを特徴とする情報記録再生装置。
【請求項１４】
請求の範囲第１３項記載の情報記録再生装置において、
前記記録クロック生成回路は、フレキシブルケーブを介して送られてくる前記同期クロックに基づいて記録クロックを生成することを特徴とする情報記録再生装置。
【請求項１５】
請求の範囲第１３項記載の情報記録再生装置において、
前記記録クロックの周波数は、前記同期クロックの周波数より高いことを特徴とする情報記録再生装置。
【発明の詳細な説明】
【技術分野】
【０００１】
本発明は、記録情報により発光波形が制御されたレーザ光を照射することにより情報を媒体に記録し、また前記記録時のレーザ光より弱い強度のレーザ光を照射することにより情報を媒体から再生する、情報記録再生装置に関するものであり、特にレーザ光の駆動波形生成を行うレーザ駆動波形生成回路の制御に係る情報記録再生装置に関するものである。
【背景技術】
【０００２】
従来の情報記録再生装置におけるレーザ波形生成方式を、図１６に示す。同図において、変調回路６’によって上位装置（図示せず）から送られてくる記録情報を所定の変調方式により符号変換を行う。レーザ駆動回路１１’に設けられた電流スイッチ１１１〜１１３によって、制御信号に基づいてレーザダイオード３の発光電流をＯＮ／ＯＦＦにより制御し、電流加算器１１４によって、複数の電流スイッチから供給される電流を加算する。制御信号１〜３（２１４〜２１６）は波形生成回路１０’より出力され、変調回路６’に含まれて構成されることが多い。
変調が行われた後の記録データ２０３と制御信号１〜３の例を図１７に示す。同図における記録データ２０３のマークとは、媒体上に高いレーザパワーを照射して大きな変化を与える部分であり、スペースとは、弱いレーザパワーで媒体に小さな変化を与える、または変化させない部分である。
この波形例では、マーク記録中には記録クロック２０１と同一周期でレーザの発光を制御し、マークの終端部ではレーザパワーを低下させ、２記録クロック周期後にスペースレベルに戻るものである。
このようなレーザ発光波形を生成するために、記録クロック２０１と同一周期で、マーク部にのみ存在する制御信号１（２１４）と、マークの終端とスペースの前端にかけて電流を遮断する方向に働く制御信号２（２１５）と、制御信号２の立ち上がりからマーク部先頭までのスペース部に電流を流すように動作する制御信号３（２１６）を記録データ２０３に応じて生成する。電流スイッチ１１１〜１１３は制御信号が“Ｈ”のときに所定の電流が流れるように動作するので、記録レーザ電流２０９としては、パルス発光領域の高電流部は電流スイッチ１で流される電流と電流スイッチ２で流される電流の加算になり、低電流部は電流スイッチ２で流される電流のみになる。冷却領域はすべての電流スイッチが遮断されているから電流は流れない。イレーズ領域は、電流スイッチ２と電流スイッチ３がそれぞれ電流を流すので、記録レーザ電流は両者の加算になる。
上述した従来のレーザ波形生成方式においては、記録データに同期した複数の制御信号を電流スイッチに供給する必要がある。また、レーザを高い周波数で電流制御するために、通常、電流スイッチはレーザの近く、すなわちレーザと光学部品、レーザ位置決め制御機構等が一体となったいわゆる光ピックアップに搭載されることが多く、変調回路、波形生成回路を含む信号処理回路とは離れて設置される。上述した図１６の例では、変調回路６’（波形生成回路１０’）から発せられる制御信号１〜３（２１４〜２１６）は、フレキシブルケーブル等の信号線を介してレーザ駆動回路１１’（電流スイッチ１１１〜１１３）に伝達される。そのため複数の制御信号の配線距離が長くなり、制御信号相互間の遅延変動が発生する。
【発明の開示】
【発明が解決しようとする課題】
【０００３】
ＤＶＤ（Ｄｉｇｉｔａｌ Ｖｅｒｓａｔｉｌｅ Ｄｉｓｃ）等に見受けられるように、情報記録再生装置においては、記録媒体の高密度化と情報記録再生装置の記録あるいは再生処理の高速化が進んでおり、これに伴って信号の周波数を更に高くし、信号の遅延時間を短くする等して信号間の遅延精度をさらに高精度化する必要がある。しかし、上述した従来のレーザ波形生成方式ではこれに対応することは困難であり、新しい構成のレーザ駆動波形生成回路が必要とされている。
【課題を解決するための手段】
【０００４】
本発明の情報記録再生装置の一つとして、記録媒体に記録する記録データと同期クロックとを生成する変調手段と、該同期クロックに基づいて記録クロックを生成する記録クロック生成手段を有し、該記録クロック及び前記記録データに基づいて記録レーザ電流を生成する記録波形生成手段と、前記変調手段及び前記記録波形生成手段を制御する記録制御手段とを備え、前記記録クロック生成手段は、クロック生成／停止機能と応答速度切替機能とを有し、前記記録制御手段は、クロック生成／停止制御信号と応答速度切替信号を生成する手段を有し、前記記録制御手段は、前記クロック生成／停止制御信号又は前記応答速度切替信号により前記記録クロック生成手段を制御する情報記録再生装置とする。
【発明の効果】
【０００５】
本発明の一つによれば、高精度の記録レーザ電流（波形）で高精度に情報を記録することができ、かつＩＤ部の再生等、再生動作の妨害といった悪影響を低減することができる情報記録再生装置を提供することができる。
【発明を実施するための最良の形態】
【０００６】
図２に、本発明を適用した変調回路及びレーザ駆動波形生成回路の一実施形態を示す。レーザ駆動波形生成回路２には、図１６で示した電流スイッチや電流加算器での構成を例とするＬＤ駆動回路１１を含んでいるが、この部分の構成に限定されない。また、必ずしも波形生成部１０とＬＤ駆動回路１１が一体化している必要はなく、別構成であっても本発明の効果を損なうものではない。なお、記録制御回路８は、記録クロック生成回路開始／停止制御機能と記録クロック生成回路応答速度切替制御機能を有している。
【０００７】
図２において、変調回路６、記録制御回路８とレーザ駆動波形生成回路２間には、同期クロック２０２、記録データ２０３、記録ゲート２０４、応答速度切替信号２０６、発振開始／停止信号２０７が伝達される信号線が、フレキシブルケーブル（図示せず）等の信号線として接続される。
【０００８】
レーザ駆動波形生成回路２は、光ピックアップ（図示せず）に備え付けるので、光ピックアップの移動に伴ってレーザ駆動波形生成回路２も移動することになる。一方、変調回路６、記録制御回路８は、情報記録再生装置に固定された基板（図示せず）上に備え付けるので、光ピックアップの移動に伴って移動することはない。
【０００９】
記録データ２０３と、同期クロック２０２、記録クロック２０１及び記録レーザ波形２０９との関係を示す図３を参照しながら、変調回路６とレーザ駆動波形生成回路２との間での信号の流れについて説明する。記録クロック生成回路９は、同期クロック生成回路７から送られてくる同期クロック２０２に基づいて記録クロック２０１を生成し、この記録クロック２０１を波形生成回路１０に送る。波形生成回路１０は、変調回路６から送られてくる記録データ（例えばＮＲＺ信号）２０３及び記録クロック生成回路９から送られてくる記録クロック２０１に基づいて記録レーザ電流（波形）２０９を生成する。この記録レーザ電流（波形）２０９の変化に従って、レーザ３の発光量は変化する。この記録レーザ電流（波形）２０９に基づいてＬＤ駆動回路１１がレーザ３を駆動し、情報記録媒体に記録を行う。
【００１０】
なお、同図において、同期クロック２０２は記録クロック２０１の１／４周波数のクロックとしているが、これに限定されるものではなく任意の１／Ｎが取り得る。しかしながら、後述するように、記録クロック生成回路９にはいわゆるＰｈａｓｅ Ｌｏｃｋｅｄ Ｌｏｏｐ（ＰＬＬ）が使用されることが多く、回路構成を簡単にするためにはＮを２のべき乗に設定するほうが好ましい。また、Ｎを大きくすると生成された同期クロックのジッタが増加する傾向にあるので、これらを鑑みＮを決定することが好ましい。
【００１１】
上述の変調回路６及びレーザ駆動波形生成回路９による制御動作（タイミング）を図１を参照しながら説明する。
【００１２】
再生動作時においては、記録クロック２０１は不要であるため、記録制御回路８は、発振開始／停止信号２０７を記録クロック生成回路９に発して、記録クロック生成回路９による記録クロック２０１の発振を停止させる。従って、再生動作時における他の回路への妨害を防止することができる。また、記録制御回路８による制御により、同期クロック生成回路７から記録クロック生成回路９への同期クロック２０２の供給も行わないようにする。
【００１３】
記録動作時には、記録クロック２０１の発振を開始する必要があるが、通常、記録動作の前には目的位置へ移動するためのシーク動作があるので、再生動作終了後、シーク動作開始時に記録クロック２０１の発振を開始する。この場合、当然、同期クロック２０２も変調回路６が備える同期クロック生成回路７より供給される。記録クロック２０１の発振開始時には、記録クロック２０１は同期クロック２０２と同期していないので、この時点から同期引き込み動作に入る。引き込み動作を早く完了するためには記録クロック生成回路９を構成するＰＬＬのループ利得（ゲイン）を高くする必要がある。一方、ループゲインが高いと外乱の影響を受けやすくなるため、引き込んだ後にはループゲインを低めに、すなわち応答速度を低速に設定することが好ましい。そこで、記録制御回路８から発せられる応答速度切替信号２０６により、記録クロック生成回路９の応答速度を切り替える。このように記録クロック生成回路９の回路特性を切り替えることにより高精度の記録クロックを生成することができる。なお、図１では、１セクタ分記録動作を行った後に応答速度を低速側に切り替えているが、シーク動作期間中のみ応答速度を高速側に設定して、記録動作開始時には応答速度を低速側に切り替えるようにしてもよい。
【００１４】
ここで、図４を参照して記録クロック生成回路９の構成例を説明する。この構成はいわゆるＰＬＬとして知られているものであり、基本的な動作は既によく知られているのでここでは解説を行わない。同図において、ｆｉｎが同期クロック２０２、Ｇｐが位相比較器９１の利得（ゲイン）、Ｇｆが低域通過フィルタ９２の利得、Ｇａ１，Ｇａ２が増幅器９３ａ、９３ｂの利得、Ｇｖが電圧制御発振器９４の利得、Ｎが分周期９５の帰還分周比、ｆｏｕｔが出力クロックすなわち記録クロック２０１である。ただし、必ずしもｆｏｕｔが記録クロック２０２そのものである必要はなく、ｆｏｕｔを分周したものを記録クロック２０２としてもよい。ＰＬＬのループ利得は増幅器９３ａの利得Ｇａ１と増幅器９３ｂの利得Ｇａ２を選択することにより変化する。
【００１５】
上述の変調回路６及びレーザ駆動波形生成回路９による制御動作（タイミング）の説明に戻る。記録動作終了後は、記録クロック２０１は不要であるため、記録制御回路８は、発振開始／停止信号２０７を記録クロック生成回路９に発して、記録クロック生成回路９による記録クロック２０１の発振を停止させる。従って、再生動作時における他の回路への妨害を防止することができる。また、記録制御回路８による制御により、同期クロック生成回路７から記録クロック生成回路９への同期クロック２０２の供給も行わないようにする。
【００１６】
なお、図１に示すように、記録動作時であっても、ＩＤ部では、同期クロック２０２を停止している。これは、記録動作時におけるＩＤ部再生動作に伴う、同期クロック２０２による再生動作への妨害を防止するためである。つまり、記録動作においても、実際には記録動作と再生動作を繰り返すことになるので、再生動作（ＩＤ部再生）の場合には、同期クロック２０２の供給を停止するものである。この場合、記録クロック生成回路９は、同期クロックの欠落（停止）を検出すると、発振周波数を欠落前の値で保持するので、記録クロック２０１は波形生成回路１０に供給され続ける。従って、記録動作においてセクタが変わるたびに同期引き込み動作を行う必要がないので、セクタが変わるたびに応答速度切り替え信号によって記録クロック生成回路９の応答速度を切り替える必要がなく、安定して高精度な記録動作を行うことができる。
【００１７】
記録クロック生成回路９の第２の構成例を図５に示す。この例では記録クロック生成回路（ＰＬＬ）９の帰還分周比Ｎを変化させることによりループ利得（ゲイン）を変化させる。すなわち、Ｎを小さくすれば（最小は１）利得が高くなる。この例ではＮ＝１の分周器９５ａとＮ＝４の分周器９５ｂを選択することにより利得を変化させている。ただし、帰還分周比Ｎを変化させるときには同時に同期クロック２０２の周波数も変化させる必要がある。したがって、応答速度切替信号２０６で応答速度切り替えを行うと同時に、変調回路６内の同期クロック生成回路７の分周比も分周器７１，７２を選択することにより切り替えを行う。この方式は応答速度切替をデジタル回路のみで実現できる利点があるが、切替タイミングにより同期外れが生じる可能性があるため、記録クロック生成回路９のＰＬＬは位相比較誤差を分周比切替前の値を保持した状態で行うほうが望ましい。図１の制御タイミングでは、ＩＤ再生動作時に分周比を切り替えることで実現している。
【００１８】
図６に、上述した変調回路及びレーザ駆動波形生成回路を用いた情報記録再生装置の第１の実施形態を示す。本実施形態においては、レーザ駆動波形生成回路２の制御は、個別の機能の信号線を設けるのではなく、ひとつの制御インターフェイス信号２１０を設けて制御内容に応じたデータを転送することにより実現している。
【００１９】
図６において、信号処理回路１とレーザ駆動波形生成回路２間には、同期クロック２０２、記録データ２０３、記録ゲート２０４、制御インターフェース信号２１０が伝達される信号線が、フレキシブルケーブル（図示せず）等の信号線として接続される。
【００２０】
レーザ駆動波形生成回路２は、光ピックアップ（図示せず）に備え付けるので、光ピックアップの移動に伴って記録クロック生成回路（ＰＬＬ）９を含むレーザ駆動波形生成回路２も移動することになる。一方、変調回路６を含む信号処理回路１は、情報記録再生装置に固定された基板（図示せず）上に備え付けるので、光ピックアップの移動に伴って移動することはない。
【００２１】
制御インターフェイス信号２１０の形態に制限はないが、制御インターフェース信号２１０をシリアルインターフェイス信号としたときの一例を図７に示す。
【００２２】
このシリアルインターフェイス信号は、転送イネーブル信号、転送クロック、転送データの３本の信号線より構成される。転送イネーブル信号が“Ｈ”のときインターフェイスは動作状態となり、転送クロックに同期して転送データが出力される。転送データのうち前半８ビットがレーザ駆動波形生成回路が内蔵している各種設定レジスタのアドレスであり、後半８ビットがそのアドレスに書きこまれる設定データである。
【００２３】
データを受信したレーザ駆動波形生成回路２は、インターフェイス回路１４において転送データをレジスタアドレスとレジスタ設定データとに分離し、指定されたアドレスのレジスタにデータを設定する。変調回路６およびレーザ駆動波形生成回路２とのインターフェイス回路１２を含む信号処理回路１は上位装置インターフェイス回路５と接続され、ＰＣ等の上位（外部）装置（図示せず）とのデータの転送を行う。
【００２４】
上位装置はまた、情報記録再生装置に記録・再生等の指令（コマンド）や記録すべきデータを発行するが、これらの指令は上位装置インターフェイス回路５を経由してマイクロプロセッサ４がこれを受け取り（信号線図示せず）、情報記録再生装置内の各部の制御を行う。本発明のレーザ駆動波形生成回路２の制御も同様に、マイクロプロセッサ４がインターフェイス回路１２に所定の情報を設定し、制御インターフェイス回路１４（図中では「インターフェース」として図示）を駆動させることにより行われる。
【００２５】
図１０は本発明による定常時の制御手順（動作シーケンス）を示している。ここで、設定（１）は記録クロック発振（ＯＮ）で高速引き込みモード、設定（２）は記録クロック発振（ＯＮ）で低速引き込みモード、設定（３）は記録クロック停止（ＯＦＦ）のモードである。上位（外部）装置より記録コマンドが発行されると、マイクロプロッセッサ４はインターフェイス回路１２に設定（１）の情報を設定し、制御インターフェイス回路１４を駆動させ、レーザ駆動波形生成回路２を所定の状態に設定する。マイクロプロセッサ４は同時に変調回路６に含まれる同期クロック生成回路７も制御し、同期クロック２０２を発生させる。さらに、ＩＤ検出回路１３に記録開始セクタの設定を行い、ＩＤの検出および検査を行わせる。ＩＤ検出回路１３は記録開始セクタを検出すると記録制御回路８に通知し、記録制御回路８は変調回路６を制御して、記録ゲート２０４（／ＷＲ）、記録データ２０３（ＮＲＺ）を波形生成回路１０に送る。上述の通り、波形生成回路１０は、変調回路６から送られてくる記録データ（例えばＮＲＺ信号）２０３及び記録クロック生成回路９から送られてくる記録クロック２０１に基づいて記録レーザ電流（波形）２０９を生成する。そして、この記録レーザ波形２０９に基づいてＬＤ駆動回路１１がレーザ３を駆動し、情報記録媒体に記録を行う。
【００２６】
１セクタの記録が終了した時点で、マイクロプロッセッサ４は設定（２）の情報をインターフェイス回路１２に設定し、制御インターフェイス回路１４を駆動して、１セクタ記録した後にくるＩＤ部再生期間内にレーザ駆動波形生成回路２を設定（２）にする。読み出しコマンド（再生要求）が発行されると、マイクロプロッセッサ４は設定（３）の情報をインターフェイス回路１２に設定し、制御インターフェイスを駆動してレーザ駆動波形生成回路を設定（３）にする。以上の手順により本発明が実施される。
【００２７】
以上説明した第１の実施形態の情報記録再生装置によれば、レーザ波形生成機能を、装置内に固定された基板側の回路（変調回路６）ではなく、レーザ３に近い光ピックアップ側の回路（レーザ駆動波形生成回路２）に持たせる構成としている。また、記録クロック生成回路９を光ピックアップ側の回路（レーザ駆動波形生成回路２）に持たせ、同期クロック２０２より高周波数のクロックを生成する構成としている。このような構成によれば、変調回路６から高周波数の信号を送ることなく記録レーザ電流（波形）を生成することができるので、信号間の遅延精度の影響を受け難くなり、高精度の記録レーザ電流（波形）で高精度に情報を記録することができる。さらに、ＩＤ部の再生動作を含む再生動作時には同期クロック２０２の供給を停止する構成とすることにより、ＩＤ部の再生等、再生動作の妨害といった悪影響を低減することができる。さらに、記録クロック生成回路９の応答速度を切り替えることができる構成とすることで、高精度のクロックを生成できるので、高精度の記録レーザ電流（波形）を生成することができ、高精度に情報を記録することができる。
【００２８】
図８に、上述した変調回路及びレーザ駆動波形生成回路を適用した情報記録再生装置の第２の実施形態を示す。第１の実施形態と共通している点については説明を省略する。この第２の実施形態が第１の実施形態と異なる点は、インターフェイス回路１２の自動実行回路１５を設けたことにある。この自動実行回路１５に係る構成以外の構成については、第１の実施形態の構成と同様の構成であるので、詳細な説明は省略する。
【００２９】
第１の実施形態では、レーザ駆動波形生成回路２を制御するためにマイクロプロセッサ４がセクタの開始・終了タイミングを常時正しく把握している必要があるが、これはマイクロプロセッサ４の動作上大きな負担となる。自動実行回路１５を設けることで、マイクロプロセッサ４は、セクタの状況に係わらず記録・再生の要求を記録制御回路８に出力することができるため、セクタの開始・終了タイミングを常時正しく把握している必要がない分だけ、負担を軽減できる。この結果、装置全体として動作処理速度を向上させることができる。
【００３０】
自動実行回路１５の構成例を図９に示す。同図は、３種類の設定を保持できる設定レジスタ１５１，１５２，１５３を有し、ドライブ電源投入時や、ディスク挿入時、ディスク交換時等にマイクロプロセッサから設定情報が書き込まれる。記録制御回路８からは３種類のトリガ信号２１１ａ〜ｃが自動実行回路１５に出力され、自動実行回路１５はインターフェイス回路１２の起動信号２１２を出力する。同時に自動実行回路１５は対応する設定レジスタデータ２１３をインターフェイス回路１２に出力する。インターフェイス回路１２は、起動信号２１２が入力されると、自動実行回路１５が出力している設定レジスタデータ２１３を取り込み、制御インターフェイス２１０に出力する。
【００３１】
図１１に第２の実施形態の動作シーケンスを示す。記録動作の場合には、マイクロプロセッサは信号処理回路１に記録要求を出力しＩＤ検出部１３に記録先頭セクタを設定する。記録制御回路８はその時点で記録動作も再生動作も行っていなければ、トリガ信号１（２１１ａ）を自動実行回路１５に出力する。自動実行回路１５は、インターフェイス回路１２を動作させ、あらかじめ設定レジスタ１に設定されているレジスタの内容をレーザ駆動波形生成回路２に出力し設定（１）の状態に設定する。記録制御回路８は同時に同期クロック２０２を出力させる。ＩＤ検出回路１３で記録先頭セクタの検出が行われると記録が開始され、１セクタの記録が終了すると、１セクタ記録した後にくるＩＤ部再生期間内に、記録制御回路８からトリガ信号２（２１１ｂ）を自動実行回路１５に出力する。自動実行回路１５はインターフェイス回路１２を動作させ、設定レジスタ２にあらかじめ設定されている内容をレーザ駆動波形生成回路２に出力し、設定（２）の状態に設定する。応答速度の切替を基準クロックの分周比の切替で行う場合には、同期クロック生成回路の分周比も同時に変更される。
【００３２】
再生動作の場合には、マイクロプロセッサ４は信号処理回路１に再生要求を出力し再生先頭セクタアドレスを設定する。記録制御回路８は、再生要求を受けた時点において記録動作を行っていれば記録最終セクタ終了後、記録動作を行っていなければそのセクタ終了後トリガ信号３を自動実行回路１５に出力する。自動実行回路１５はインターフェイス回路１２を動作させ、設定レジスタ３にあらかじめ設定されている内容をレーザ駆動波形生成回路２に出力し、設定（３）の状態すなわち記録クロック停止の状態に設定する。
以上説明した第２の実施形態の情報記録再生装置によれば、上述した第１の実施形態の情報記録再生装置から得られる効果のほか、自動実行回路１５を備えた構成とすることにより、マイクロプロセッサ４の負担を軽減でき、装置全体の動作処理速度を向上させることができる。
【００３３】
次に、上述の第１の実施形態及び第２の実施形態における情報記録再生装置に発生するさまざまな状況における動作について説明する。以下の説明においては、第１の実施形態を用いる場合について説明するが、設定（１）の設定は、第２の実施形態におけるトリガ信号１（２１１ａ）の発行、設定（２）の設定は、第２の実施形態におけるトリガ信号２（２１１ｂ）の発行、設定（３）の設定は、第２の実施形態におけるトリガ信号１（２１１ｃ）の発行を意味するものである。
【００３４】
図１２はマイクロプロセッサ４から指定された記録先頭セクタに欠陥があり、次のセクタから記録を開始する場合を示している。この場合には、欠陥セクタ部においても同期クロック２０２を出力することとし、設定（２）への移行は、欠陥セクタ終了と実際の記録開始セクタの先頭までのＩＤ部再生期間内で行うようにする。
【００３５】
図１３は再生動作実行時に記録要求がマイクロプロセッサ４から出力され、再生終了後短期間で記録動作に入る場合を示している。記録制御回路８が記録要求受信時には再生動作実行中であるから直ちに設定（１）に変更せず、記録制御回路８は再生セクタ終了後に設定（１）に変更する。設定（２）への変更は先に述べたものと同様に記録先頭セクタ終了後に発行するようにする。
【００３６】
図１４は、第１の記録コマンド（記録要求）に基づく記録動作中に第２の記録コマンドが設定され、再生動作に移行することなく記録動作を連続する場合である。この場合には再生コマンドが設定されないので、設定（３）には移行せず、先行記録動作の記録最終セクタ終了後、設定（１）に移行する。続いて行われる記録動作の記録先頭セクタ終了後、設定（２）に移行する。
【００３７】
図１５に、図１４と同様な状況の別の制御方法を示す。記録動作が連続する場合には特に設定を変更することなく（第２の実施形態にあってはトリガ信号１およびトリガ信号２を発行することなく）、先行記録動作で設定された設定（２）を継続するものである。
【図面の簡単な説明】
【００３８】
【図１】は、本発明による制御動作を示す図である。
【図２】は、本発明を適用した変調回路及びレーザ波形生成駆動回路をを示す図である。
【図３】は、本発明における記録データ、同期クロック、記録クロック及び記録レーザ波形の関係を示した図である。
【図４】は、記録クロック生成回路の第１の実施形態を示す図である。
【図５】は、記録クロック生成回路の第２の実施形態を示す図である。
【図６】は、図２に示した変調回路及びレーザ波形生成駆動回路を用いた情報記録再生装置の第１の実施形態を示す図である。
【図７】は、制御インターフェイス信号の一例を示す図である。
【図８】は、図２に示した変調回路及びレーザ波形生成駆動回路を用いた情報記録再生装置の第２の実施形態を示す図である。
【図９】は、自動実行回路の一例を示す図である。
【図１０】は、第１の実施形態たる情報記録再生装置における動作シーケンスの一例を示す図である。
【図１１】は、第２の実施形態たる情報記録再生装置における動作シーケンスの一例を示す図である。
【図１２】は、第１及び第２の実施形態たる情報記録再生装置における動作シーケンスの一例を示す図である。
【図１３】は、第１及び第２の実施形態たる情報記録再生装置における動作シーケンスの一例を示す図である。
【図１４】は、第１及び第２の実施形態たる情報記録再生装置における動作シーケンスの一例を示す図である。
【図１５】は、第１及び第２の実施形態たる情報記録再生装置における動作シーケンスの一例を示す図である。
【図１６】は、従来の変調回路（レーザ波形生成回路）およびレーザ駆動回路を示す図である。
【図１７】は、従来の変調回路（レーザ波形生成回路）およびレーザ駆動回路の動作タイミングを示す図である。
【符号の説明】
【００３９】
２…レーザ駆動波形生成回路、６…変調回路、８…記録制御回路
【図１】
2008041246.tif 000003
【図２】
2008041246.tif 000004
【図３】
2008041246.tif 000005
【図４】
2008041246.tif 000006
【図５】
2008041246.tif 000007
【図６】
2008041246.tif 000008
【図７】
2008041246.tif 000009
【図８】
2008041246.tif 000010
【図９】
2008041246.tif 000011
【図１０】
2008041246.tif 000012
【図１１】
2008041246.tif 000013
【図１２】
2008041246.tif 000014
【図１３】
2008041246.tif 000015
【図１４】
2008041246.tif 000016
【図１５】
2008041246.tif 000017
【図１６】
2008041246.tif 000018
【図１７】
2008041246.tif 000019
【手続補正書】
【提出日】平成19年10月23日(2007.10.23)
【手続補正１】
【補正対象書類名】特許請求の範囲
【補正対象項目名】全文
【補正方法】変更
【補正の内容】
【特許請求の範囲】
【請求項１】
記録媒体を装着可能な情報記録再生装置であって、
記録媒体に記録する記録データと同期クロックとを生成する変調手段と、
該同期クロックの供給を受けて記録クロックを生成する記録クロック生成手段を有し、
該記録クロック及び前記記録データに基づいてレーザの発光量を変化させる記録波形生成手段と、
前記変調手段及び前記記録波形生成手段を制御する記録制御手段とを備え、
前記記録クロック生成手段に対し同期クロックを供給／停止する手段を有し、
前記記録制御手段は、入力される記録コマンドまたは読み出しコマンドに基づき、前記同期クロックを供給／停止する手段を制御することを特徴とする情報記録再生装置。
【請求項２】
請求項１記載の情報記録再生装置において、
該情報記録再生装置に装着される記録媒体が、データの記録再生を行うデータ部と、データの記録再生を行う位置を示すアドレス情報を含むＩＤ部とから構成される媒体である場合に、
データ部に記録動作を行う場合、前記記録制御手段は、データ部では同期クロックを供給し、ＩＤ部では同期クロックを停止するように前記同期クロックを供給／停止する手段を制御することを特徴とする情報記録再生装置。
【請求項３】
記録媒体を装着可能な情報記録再生装置であって、
該情報記録再生装置に装着される記録媒体が、データの記録再生を行うデータ部と、データの記録再生を行う位置を示すアドレス情報を含むＩＤ部とから構成される媒体である場合に、
記録媒体に記録する記録データを生成する記録データ生成手段、同期クロックを生成する同期クロック生成手段及び前記記録媒体に記録されているアドレス信号を検出するアドレス信号検出手段を有する信号処理手段と、
該同期クロックの供給を受け記録クロックを生成する記録クロック生成手段及び制御インターフェイス受信手段を有し、前記同期クロックに基づいて生成される記録クロック及び前記記録データに基づいてレーザの発光量を変化させる記録波形生成手段と、
該記録波形生成手段を制御する制御インターフェイス送信手段と、
該記録クロック生成手段に対する同期クロクックを供給／停止する手段と
外部装置からの指示により装置内の制御動作を行うシステム制御手段とを備え、
前記システム制御手段は、記録クロック生成手段に対し、同期クロックを供給／停止する指示を前記制御インターフェース送信手段により前記制御インターフェイスを受診手段に送出して前記同期クロックの供給を制御する情報記録再生装置。
【請求項４】
請求項３記載の情報記録再生装置において、
データ部に記録動作を行う場合、前記システム制御手段は、データ部では同期クロックを供給し、ＩＤ部では同期クロックを停止するように前記同期クロックを供給／停止する手段を制御することを特徴とする情報記録再生装置。
【請求項５】
請求項３記載の情報記録再生装置において、
前記制御インターフェース送信手段及び前記制御インターフェイス受信手段間の制御インターフェイスは、１本の信号線上に指示情報を１ビットづつ逐次送出し受信するシリアルインターフェイスであることを特徴とする情報記録再生装置。
【請求項６】
レーザの発光量を変化させながら記録媒体に情報を記録できる情報記録再生装置において、
移動可能な光ピックアップと、
記録媒体に記録する記録データと同期クロックとを生成する変調回路と、
該同期クロックの供給を受け記録クロックを生成する記録クロック生成回路を有し、
該記録クロック及び前記記録データに基づいてレーザの発光量を変化させる記録波形生成回路と、
前記変調回路及び前記記録波形生成回路を制御する制御回路とを備え、
前記記録波形生成回路は前記光ピックアップの回路基板上に形成され、
前記変調回路及び前記制御回路は前記光ピックアップ以外の回路基板上に形成され、
前記同期クロックを生成する変調回路は、記録コマンドまたは読み出しコマンドに基づいた制御により、前記同期クロックを供給／停止することを特徴とする情報記録再生装置。
【請求項７】
請求項６記載の情報記録再生装置において、
前記記録クロック生成回路は、フレキシブルケーブを介して送られてくる前記同期クロックに基づいて記録クロックを生成することを特徴とする情報記録再生装置。
【請求項８】
請求項６記載の情報記録再生装置において、
前記記録クロックの周波数は、前記同期クロックの周波数より高いことを特徴とする情報記録再生装置。